(57)【要約】【課題】シートを折り曲げて形成した収納箱において、長期間使用しても収納箱の歪みを防止できる収納箱を提供すること。【解決手段】シートを折り曲げて形成した底板部と左右の側板部と上板部と該底板部背面側に連設された底板フラップと該上板部背面側に連設された上板フラップを有する収納箱からなり、該底板フラップと該上板フラップとの重合部分で該底板フラップと該上板フラップとの両方に貫通した連結孔に、底板フラップと上板フラップを固着する結合部材を挿入し固着したものである。【選択図】図１
0003108221.tif 000002
【実用新案登録請求の範囲】
【請求項１】
シートを折り曲げて形成した底板部と左右の側板部と上板部と該底板部背面側に連設された底板フラップと該上板部背面側に連設された上板フラップを有する収納箱において、該底板フラップと該上板フラップとの重合部分で該底板フラップと該上板フラップとの両方で貫通した連結孔と、該連結孔に挿通し底板フラップと上板フラップを固着した結合部材とからなることを特徴とする収納箱。
【請求項２】
シートを折り曲げて形成した底板部と左右の側板部と上板部と該底板部背面側に連設された底板フラップと該上板部背面側に連設された上板フラップを有する収納箱において、該底板フラップと該上板フラップとの重合部分で該底板フラップと該上板フラップとの両方で貫通した連結孔と、該連結孔に挿通し底板フラップと上板フラップを固着した結合部材とからなる収納箱と収納箱内部に収納された引出しとからなることを特徴とする引き出し式の収納箱。
【請求項３】
シートを折り曲げて形成した底板部と左右の側板部と上板部と該底板部背面側に連設された底板フラップと該底板部前面側に連設された折返し底板フラップと該上板部背面側に連設された上板フラップを有する収納箱において、該底板フラップと該上板フラップとの重合部分で該底板フラップと該上板フラップとの両方で貫通した連結孔と、該連結孔に挿通し底板フラップと上板フラップを固着した結合部材と、折返し底板フラップと底板フラップの間に挟持される底板シートとからなることを特徴とする収納箱。
【請求項４】
シートを折り曲げて形成した底板部と左右の側板部と上板部と該底板部背面側に連設された底板フラップと該底板部前面側に連設された折返し底板フラップと該上板部背面側に連設された上板フラップを有する収納箱において、該底板フラップと該上板フラップとの重合部分で該底板フラップと該上板フラップとの両方で貫通した連結孔と、該連結孔に挿通し底板フラップと上板フラップを固着した結合部材と、折返し底板フラップと底板フラップの間に挟持される底板シートとからなる収納箱と収納箱内部に収納された引出しとからなることを特徴とする引出し式収納箱。
【考案の詳細な説明】
【技術分野】
【０００１】
本考案は、収納箱及び引出し式収納箱に関し、特にシートを組立ててなる収納箱と、シートを組立ててなる収納箱を用いた引出し式収納箱に関するものである。
【背景技術】
【０００２】
従来からクラフト紙やプラスチック製シートなどのシートを組立ててなる、引出し式収納箱が知られている。この引出し式収納箱は、クラフト紙やポリエチレンのシートを折り曲げて組立てた一端側が開口した収納箱と収納箱に収容される収納空間を有する箱状の引出しを有している。
【０００３】
収納箱は、底板部、側板部、上板部及び後板形成用フラップを有する1枚のシートからなり、それらを折り曲げて収納箱を組立てるように構成されている。（例えば、特許文献1参照）。
【特許文献１】実公平８−８６６８号公報
【考案の開示】
【考案が解決しようとする課題】
【０００４】
前述した収納箱は、1枚のシートからなる部材をフラップの組合わせや接着により形成する構造となっている。そのため、長期間使用していると、シートが有する弾性や収納箱に加えられる重みや外力により、収納箱が歪んでしまい収納箱の一部が浮き上がってしまつたり、収納箱全体の形状がくずれてしまうことがある。
また、収納箱の強度が低下したり、箱にすき間を生じてしまうこともある。引出し式収納箱にでは、すき間から埃が進入してしまい、収納物を引出し式収納箱に収納している意味をなさなくなってしまうことさえある。
【０００５】
また、収納箱が歪んでしまうと、スムーズな引出しの開閉ができなくなってしまうおそれがある。
【０００６】
本考案は、上記の事情に鑑みてなされたもので、収納箱の変形や歪みをできる限り少なくできる収納箱と引出し式収納箱を提供することを目的とする。
【課題を解決するための手段】
【０００７】
前記課題を解決するため請求項1記載の考案にあっては、シートを折り曲げて形成した底板部と左右の側板部と上板部と該底板部背面側に連設された底板フラップと該上板部背面側に連設された上板フラップを有する収納箱において、該底板フラップと該上板フラップとの重合部分で該底板フラップと該上板フラップとの両方で貫通した連結孔と、該連結孔に挿通し底板フラップと上板フラップを固着した結合部材とからなる。
【０００８】
また、請求項２記載の考案にあっては、シートを折り曲げて形成した底板部と左右の側板部と上板部と該底板部背面側に連設された底板フラップと該上板部背面側に連設された上板フラップを有する収納箱において、該底板フラップと該上板フラップとの重合部分で該底板フラップと該上板フラップとの両方で貫通した連結孔と、該連結孔に挿通し底板フラップと上板フラップを固着した結合部材とからなる収納箱と収納箱内部に収納された引出しとからなる。
【０００９】
また、請求項３記載の考案にあっては、シートを折り曲げて形成した底板部と左右の側板部と上板部と該底板部背面側に連設された底板フラップと該底板部前面側に連設された折返し底板フラップと該上板部背面側に連設された上板フラップを有する収納箱において、該底板フラップと該上板フラップとの重合部分で該底板フラップと該上板フラップとの両方で貫通した連結孔と、該連結孔に挿通し底板フラップと上板フラップを固着した結合部材と、折返し底板フラップと底板フラップの間に挟持される底板シートとからなる。
【００１０】
また、請求項４記載の考案にあっては、シートを折り曲げて形成した底板部と左右の側板部と上板部と該底板部背面側に連設された底板フラップと該底板部前面側に連設された折返し底板フラップと該上板部背面側に連設された上板フラップを有する収納箱において、該底板フラップと該上板フラップとの重合部分で該底板フラップと該上板フラップとの両方で貫通した連結孔と、該連結孔に挿通し底板フラップと上板フラップを固着した結合部材と、折返し底板フラップと底板フラップの間に挟持される底板シートとからなる収納箱と収納箱内部に収納された引出しとからなる。
【考案の効果】
【００１１】
請求項1に記載の考案によれば、従来の構造よりも、より強固にフラップ相互を固着することができる。したがって、収納箱の変形や歪みを防止することができる。
【００１２】
請求項２に記載の考案によれば、より強固にフラップ相互を固着することができ、収納箱の変形や歪みを防止することができる。また、それによりスムーズな引出しの開閉が可能となる。
【００１３】
請求項３に記載の考案によれば、より強固にフラップ相互を固着することができ収納箱の変形や歪みを防止することができる。
【００１４】
請求項４に記載の考案によれば、より強固にフラップ相互を固着することができ収納箱の変形や歪みを防止することができ、よりスムーズな引出しの開閉が可能となる。
【考案を実施するための最良の形態】
【００１５】
以下、本考案の一実施形態を図に従って説明する。図1及び図2は本考案の収納箱１００を背面側より示した斜視図であり、図1は結合部材を装着した状態を示し、図2は結合部材を装着する前の状態を示している。また、図3は収納箱の組立て前の展開図であり、図４は本考案の収納箱を前面側より示した斜視図である。
【００１６】
収納箱１００は1枚のクラフト紙のシートからなり、シートを折り曲げた状態で箱形状となる底板部２１０と左右の側板部２２０,２２１と上板部２３０とから構成されている。底板部、側板部、上板部に隣接してフラップが設けられ、底板部に隣接して、のり代フラップ７００が設けている。
なお、本考案で用いるシートは、折り曲げて組立てができる素材であればよく、クラフト紙などの紙製シートのほかに、プラスチック製シートや複合材料からなるシートなどを用いることができる。
クラフト紙の厚みは1ｍｍから10ｍｍ程度のシートが組立てが容易であるため、適している。
【００１７】
フラップは底板部と左右の側板部及び上板部にそれぞれ連続して設けられている。底板部の背面側には、底板フラップ２４０が折り目線５００を介して連続して設けられ、底板部の前面側には前面側第1折り目線５５０と前面側第２折り目線５５１を介して折返し底板フラップ２８０が連続して設けられている。
【００１８】
上板部の背面側には、上板フラップ２５０が折り目線５００を介して連続して設けられ、上板部の前面側には前面側第1折り目線５５０と前面側第２折り目線５５１を介して折返し上板フラップ２９０が連続して設けられている。
【００１９】
側板部の背面側にも、側板フラップ２６０,２７０が折り目線５００を介して連続して設けられ、側板部の前面側には前面側第1折り目線５５０と前面側第２折り目線５５１を介して折返し側板フラップ３００,３１０が連続して設けられている。
【００２０】
底板フラップ２４０と上板フラップ２５０は、それぞれ折り目線５００から折り曲げた時に、両者が重なり部を有する程度の長さＡに設定されている。また、底板フラップと上板フラップは、底板フラップと上板フラップとの重合部分で底板フラップと上板フラップとの両方で貫通した連結孔４００をそれぞれ有している。
【００２１】
以上の構成からなる収納箱の展開状態のシートを折り曲げて、一端が開口した収納箱を形成する。その場合、底板フラップ２４０と上板フラップ２５０は、両者が重なり、それぞれで貫通した連結孔４００がほぼ一致する状態に組立てる。また、折返し底板フラップは前面側第1折り目線５５０と前面側第２折り目線５５１で折り曲げられて、底板部の内側に接する状態に形成される。他の折返しフラップも同様にして組立てられる。そして、側板部と、のり代フラップ７００が設けている部分は接着や溶着などで接合して収納箱を組立てる。
【００２２】
側板フラップ２６０,２７０は必須ではないが、側板フラップを設け、折り目線５００に沿って折り曲げ、底板フラップと上板フラップに重なる構成とした場合には、さらに強度を向上させた収納箱とすることができる。
【００２３】
底板フラップと上板フラップの両者が重なり、それぞれで貫通した連結孔には、結合部材６００が挿入され、底板フラップと上板フラップは密着した状態で固着される。（図5）
【００２４】
結合部材６００は、連結孔に挿通でき、底板フラップと上板フラップの両者がしっかりと固着できるものであれば、特に限定されるものではないが、例えば、図6や図7に示すような差込部６１０と受け部６２０からなるリベットタイプの結合部材などを用いることができる。差込部には爪６３０が設けられており、受け部と嵌合すると容易に抜けない構造になっている。
また、受け部のフラップに接する面には突起６４０が形成されており、底板フラップと上板フラップをより強固に固着できるように設計されている。
【００２５】
また、上記の構成により組立てた収納箱に底板シート３２０を設ける構成とすることができる。底板シートは、折返し底板フラップと底板フラップの間に挟持されるように載置される。底板シートは、底板部の前面側の前面側第1折り目線５５０と前面側第２折り目線５５１で折り曲げた折返し底板フラップの背面側端部３３０と内側の底板フラップ間の設置間隔Ｂよりも、若干大きく作られている。そのため、底板シートは折返し底板フラップの背面側端部と内側の底板フラップ間で弾性を発生するように挿入される。底板シートは厚さが1〜10ｍｍ程度のものが適している。
【００２６】
この構成により、底板フラップと上板フラップが内側に倒れ込んでしまう変形を防止することができる。前記結合部材と協働して収納箱の歪みの発生を効果的に防止することができる。
【００２７】
収納箱の内部には引出しを設けることができる。その構成によって、引出し式の収納箱とすることができる。図8に引出しの一実施形態の図を示す。図8に示した、引出しはプラスチック射出成形で形成された一体成形の引出しである。引出しは収納箱とほぼ隙間が生じない寸法に設計されている。引出しはその他に、シートを折り曲げて形成した組立て式の引出しなどを用いることができる。
【００２８】
上記の構成とした場合、引出しによって収納箱の型崩れも防止でき、収納箱の歪みが防止できる。また、底板シートは引出しの摺動性を向上させることができる。底板シートは、折返し底板フラップと底板部内面側にできた段差を緩和する役割を果たし、それにより引出しの摺動性が向上する。
【図面の簡単な説明】
【００２９】
【図１】本考案の一実施の形態にかかる収納箱を背面側より示した斜視図（結合部材を装着した状態）である。
【図２】同収納箱を背面側より示した斜視図（結合部材を装着する前の状態）である。
【図３】同収納箱の組立て前の展開図である。
【図４】同収納箱を前面側より示した斜視図である。
【図５】同底板フラップと上板フラップを結合部材で固着した状態の一部断面図である。
【図６】同結合部材の斜視図（嵌合後の状態）である。
【図７】同結合部材の斜視図（嵌合前の状態）である。
【図８】同引出しの側面図である。
【図９】同引出し式収納箱の一部破断断面図である。
【符号の説明】
【００３０】
１００    収納箱
１１０    引出し
１２０    引出し式収納箱
２１０    底板部
２２０    側板部
２２１    側板部
２３０    上板部
２４０    底板フラップ
２５０    上板フラップ
２６０    側板フラップ
２７０    側板フラップ
２８０    折返し底板フラップ
２９０    折返し上板フラップ
３００    折返し側板フラップ
３１０    折返し側板フラップ
３２０    底板シート
４００    連結孔
５００    折り目線
５５０    前面側第1折り目線
５５１    前面側第2折り目線
６００    結合部材
６１０    差込部
６２０    受け部
７００    のり代フラップ
【図１】
0003108221.tif 000003
【図２】
0003108221.tif 000004
【図３】
0003108221.tif 000005
【図４】
0003108221.tif 000006
【図５】
0003108221.tif 000007
【図６】
0003108221.tif 000008
【図７】
0003108221.tif 000009
【図８】
0003108221.tif 000010
【図９】
0003108221.tif 000011